(57)【要約】【課題】組立時における作業性を向上させることが可能な発光ユニットを提供する。【解決手段】発光モジュールと、発光モジュールと電気接続され、外部電源につながるリード線７１が差込口に差し込まれる速結端子と、発光モジュールおよび速結端子を覆う扁平箱型状であって、側壁３０ａの一部に差込口と連通するとともにリード線７１を挿通させるための開口部３５ａが形成されたカバー３０と、を備え、カバー３０には、側壁３０ａの一部が差込口と対向するように、側壁３０ａの一部がリード線７１の差込方向Ｄ１，Ｄ２に凹入してなるノッチ部３５が設けられており、ノッチ部３５の内側面３５ｂ，３５ｃ，３５ｄは、ノッチ部３５にリード線７１を挟持した指Ｆ１，Ｆ２を案内した状態において指Ｆ１，Ｆ２と当接する形状である。【選択図】図５
2014154467.tif 000002
【特許請求の範囲】
【請求項１】
発光モジュールと、
前記発光モジュールと電気接続され、外部電源につながるリード線が差込口に差し込まれる速結端子と、
前記発光モジュールおよび前記速結端子を覆う扁平箱型状であって、側壁の一部に前記差込口と連通するとともに前記リード線を挿通させるための開口部が形成されたカバーと、を備え、
前記カバーには、前記側壁の一部が前記差込口と対向するように、前記側壁の一部が前記リード線の差込方向に凹入してなるノッチ部が設けられており、
前記ノッチ部の内側面は、前記ノッチ部に前記リード線を挟持した指を案内した状態において当該指と当接する形状である
ことを特徴とする発光ユニット。
【請求項２】
前記リード線は、前記開口部に挿通される際に第１の指の腹と第２の指の腹とで挟持されるものであり、
前記内側面は、前記第１の指の背と当接する第１当接面と、前記第２の指の背と当接する第２当接面とを含む
ことを特徴とする請求項１に記載の発光ユニット。
【請求項３】
前記開口部は、さらに、前記ノッチ部における前記内側面に挟まれた内底面に延在している
ことを特徴とする請求項１に記載の発光ユニット。
【請求項４】
前記ノッチ部は、前記カバーの上端辺を含む前記側壁の一部が前記差込方向に凹入してなる
ことを特徴とする請求項１に記載の発光ユニット。
【請求項５】
前記カバーを平面視した場合に、前記第１当接面における前記第１の指の背が当接する点に沿った第１接線と、前記第２当接面における前記第２の指の背が当接する点に沿った第２接線とのなす角は６０〜１２０°である
ことを特徴とする請求項２に記載の発光ユニット。
【請求項６】
前記ノッチ部の開口幅は１０〜３０ｍｍである
ことを特徴とする請求項１に記載の発光ユニット。
【請求項７】
前記カバーには、さらに、前記発光モジュールからの出射光を出射させるための光出射窓が設けられており、
前記ノッチ部の最大奥行きは、前記光出射窓の最大開口幅の５０％以下である
ことを特徴とする請求項１に記載の発光ユニット。
【請求項８】
前記差込口と前記開口部との距離は３ｍｍ以下である
ことを特徴とする請求項１に記載の発光ユニット。
【請求項９】
前記カバーを平面視した場合に、前記ノッチ部は、前記第１当接面、前記第２当接面、前記ノッチ部の開口面、前記差込口に対向する面を四辺とする四角形状である
ことを特徴とする請求項２に記載の発光ユニット。
【請求項１０】
前記第１当接面と前記第２当接面とのなす角は６０〜１２０°である
ことを特徴とする請求項９に記載の発光ユニット。
【発明の詳細な説明】
【技術分野】
【０００１】
本発明は、特に、発光モジュールとこれを覆うカバーとを備える発光ユニットに関する。
【背景技術】
【０００２】
近年、省エネルギーの観点から、光源としてＬＥＤ（Ｌｉｇｈｔ  Ｅｍｉｔｔｉｎｇ  Ｄｉｏｄｅ）を利用した各種の発光ユニットが提案されている（例えば、特許文献１）。
図１４（ａ）は、特許文献１に係る発光ユニット９０００の構成を示す分解斜視図である。発光ユニット９０００は、基台９０１、発光モジュール９０２およびカバー９０６を備える。発光モジュール９０２は、基板９０３と、基板９０３に実装された発光部９０４と、基板９０３上に配設され、発光部９０４と電気接続された導電ランド９０５とを含む。カバー９０６は、基台９０１および発光モジュール９０２を覆う扁平箱型状であり、上面には発光部９０４からの出射光を取り出すための貫通孔９０６ａが形成されている。また、カバー９０６の側壁には、導電ランド９０５に電力を供給するリード線を挿通させるための開口部９０６ｂが形成されている。リード線は外部電源につながっており、リード線および導電ランド９０５を介して発光部９０４に電力が供給されることで、発光部９０４が発光する。
【０００３】
図１４（ｂ）は、裏側から見たカバー９０６の斜視図である。発光ユニット９０００はさらに、カバー９０６内側のケース９０６ｃに配設された速結端子９０７を含む。速結端子９０７は、導電ランド９０５と電気接続されており、開口部９０６ｂと連通するとともにリード線が差し込まれる差込口９０７ａを有する。発光ユニット９０００の組立時においては、まず、発光モジュール９０２が載置された基台９０１と、速結端子９０７が装着されたカバー９０６とをねじ等で接合する。そして、リード線を開口部９０６ｂに挿通させることで、リード線の先端を差込口９０７ａに差し込む。これにより、リード線の先端と導電ランド９０５とが電気接続されるとともに、リード線と発光部９０４とが電気接続される。
【先行技術文献】
【特許文献】
【０００４】
【特許文献１】特開２０１２−００３９９９号公報
【発明の概要】
【発明が解決しようとする課題】
【０００５】
上記発光ユニット９０００の組立においては、作業台に乗せられた各部品を作業員が上方から目視しながら、手作業で組み立てることが考えられる。しかしながら、カバー９０６の側壁と開口部９０６ｂの開口面とが面一であるため、カバー９０６を上方から見た場合、開口部９０６ｂの位置を視認しにくい。その結果、作業員が開口部９０６ｂの位置を目視しながら、開口部９０６ｂにリード線を挿通させることとすると、発光ユニット９０００組立時の作業性が低くなるという問題がある。一方で、開口部９０６ｂの位置を目視せず勘に頼ってリード線を挿通させようとする場合、リード線の挿通を何度か試みて初めて、リード線の開口部９０６ｂへの挿通に成功するといったことも生じ得るため、かかる場合も作業性が低い。
【０００６】
本発明は、上記課題に鑑みてなされたものであり、組立時における作業性を向上させることが可能な発光ユニットの提供を目的とする。
【課題を解決するための手段】
【０００７】
上記の目的を達成するため、本明細書に開示される発光ユニットは、発光モジュールと、前記発光モジュールと電気接続され、外部電源につながるリード線が差込口に差し込まれる速結端子と、前記発光モジュールおよび前記速結端子を覆う扁平箱型状であって、側壁の一部に前記差込口と連通するとともに前記リード線を挿通させるための開口部が形成されたカバーと、を備え、前記カバーには、前記側壁の一部が前記差込口と対向するように、前記側壁の一部が前記リード線の差込方向に凹入してなるノッチ部が設けられており、前記ノッチ部の内側面は、前記ノッチ部に前記リード線を挟持した指を案内した状態において当該指と当接する形状であることを特徴とする。
【０００８】
また、前記リード線は、前記開口部に挿通される際に第１の指の腹と第２の指の腹とで挟持されるものであり、前記内側面は、前記第１の指の背と当接する第１当接面と、前記第２の指の背と当接する第２当接面とを含むことを特徴とする。
さらに、前記開口部は、さらに、前記ノッチ部における前記内側面に挟まれた内底面に延在していることを特徴とする。
【０００９】
あるいは、前記ノッチ部は、前記カバーの上端辺を含む前記側壁の一部が前記差込方向に凹入してなることを特徴とする。
また、前記カバーを平面視した場合に、前記第１当接面における前記第１の指の背が当接する点に沿った第１接線と、前記第２当接面における前記第２の指の背が当接する点に沿った第２接線とのなす角は６０〜１２０［°］であることを特徴とする。
【００１０】
さらに、前記ノッチ部の開口幅は１０〜３０［ｍｍ］であることを特徴とする。
あるいは、前記カバーには、さらに、前記発光モジュールからの出射光を出射させるための光出射窓が設けられており、前記ノッチ部の最大奥行きは、前記光出射窓の最大開口幅の５０［％］以下であることを特徴とする。
また、前記差込口と前記開口部との距離は３［ｍｍ］以下であることを特徴とする。
【００１１】
さらに、前記カバーを平面視した場合に、前記ノッチ部は、前記第１当接面、前記第２当接面、前記ノッチ部の開口面、前記差込口に対向する面を四辺とする四角形状であることを特徴とする。
あるいは、前記第１当接面と前記第２当接面とのなす角は６０〜１２０［°］であることを特徴とする。
【発明の効果】
【００１２】
本明細書に開示される発光ユニットが備えるカバーには、開口部の形成領域である側壁の一部が差込口と対向するように、当該側壁の一部がリード線の差込方向に凹入してなるノッチ部が設けられている。このノッチ部の内側面は、当該ノッチ部にリード線を挟持した指を案内した状態においてリード線を挟持した指と当接する形状である。このような構成により、開口部の位置を目視しない場合であっても、ノッチ部にリード線を挟持した指を差し入れるだけで、比較的容易にリード線を開口部に挿通させることができる。したがって、リード線の挿通を何度も試みる必要がないため、発光ユニット組立時の作業性は高くなる。
【００１３】
したがって、本明細書に開示される発光ユニットによれば、組立時における作業性を向上させることが可能である。
【図面の簡単な説明】
【００１４】
【図１】実施形態に係る照明器具を示す断面図である。
【図２】実施形態に係る発光ユニットを示す斜視図である。
【図３】実施形態に係る発光ユニットを示す分解斜視図である。
【図４】リード線７１の導電ランド１４への電気的接続方法について説明するための側面図である。
【図５】（ａ）ノッチ部３５の構成を説明するための平面図と、（ｂ）ノッチ部３５の機能の詳細を説明するための平面図である。
【図６】ノッチ部３５の各部の寸法関係を説明するための平面図である。
【図７】最大奥行きＬ２を縮小したノッチ部を示す平面図である。
【図８】ノッチ部における内側面形状に係る変形例を示す平面図である。
【図９】ノッチ部における内側面形状に係る変形例を示す図である。
【図１０】ノッチ部における開口面の位置に係る変形例を示す図である。
【図１１】ノッチ部における開口部に係る変形例を示す斜視図である。
【図１２】（ａ）変形例に係る発光ユニットを示す斜視図と、（ｂ）カバー３０６を取り除いた状態の発光ユニットの斜視図である。
【図１３】変形例に係る金属基台を示す斜視図である。
【図１４】（ａ）特許文献１に係る発光ユニット９０００の構成を示す分解斜視図と、（ｂ）裏側から見たカバー９０６の斜視図である。
【発明を実施するための形態】
【００１５】
以下、本発明の実施の形態に係る発光ユニットについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
なお、各図は模式図であり、必ずしも厳密に図示されたものではない。また、各図において、同じ構成部材については同じ符号を付している。
≪実施形態≫
［構成］
＜照明器具１の全体構成＞
図１は、実施形態に係る照明器具を示す断面図である。図１に示すように、本実施形態に係る照明器具１は、天井２に埋め込むようにして取り付けられるダウンライトであって、器具３、回路ユニット４および発光ユニット６を備える。
【００１７】
器具３は、例えば、金属製であって、ランプ収容部３ａ、回路収容部３ｂおよび外鍔部３ｃを有する。ランプ収容部３ａは、例えば有底円筒状であって、内部に発光ユニット６が着脱自在に取り付けられる。回路収容部３ｂは、例えばランプ収容部３ａの底側に延設されており、内部に回路ユニット４が収容される。外鍔部３ｃは、例えば円環状であって、ランプ収容部３ａの開口部から外方へ向けて延設されている。器具３は、ランプ収容部３ａおよび回路収容部３ｂが天井２に貫設された埋込穴２ａに埋め込まれ、外鍔部３ｃが天井２の下面２ｂにおける埋込穴２ａの周部に当接された状態で、例えば取付ねじ（不図示）によって天井２に取り付けられる。
【００１８】
回路ユニット４は、発光ユニット６を点灯させるためのものであって、発光ユニット６と電気接続される電源線４ａを有し、電源線４ａの先端には発光ユニット６のリード線７１のコネクタ７２と着脱自在に接続されるコネクタ４ｂが取り付けられている。
＜発光ユニット６の構成＞
図２は、実施形態に係る発光ユニットを示す斜視図である。図３は、実施形態に係る発光ユニットを示す分解斜視図である。図２および図３に示すように、発光ユニット６は、発光モジュール１０、金属基台２０、カバー３０、電気絶縁部材４０および配線部材７０を備える。
【００１９】
（発光モジュール１０）
図３に示すように、発光モジュール１０は、基板１１、発光部１２、配線パターン１３および導電ランド１４を備える。
基板１１は、発光部１２、配線パターン１３および導電ランド１４が配設される基部である。本実施形態に係る基板１１は、平面視形状が矩形をしており、例えば、セラミックやガラスエポキシ等の電気絶縁部材からなる。
【００２０】
図３における拡大図に示すように、発光部１２は、基板１１の上面に実装された複数の発光素子１２ａと、発光素子１２ａ全体を覆う波長変換部材１２ｂとを含む。本実施形態に係る複数の発光素子１２ａは、例えば青色ＬＥＤであり、基板１１の上面にＣＯＢ（Ｃｈｉｐ  ｏｎ  Ｂｏａｒｄ）技術を用いてフェイスアップ実装されている。波長変換部材１２ｂは、例えば、透光性樹脂と蛍光体とを含む。透光性樹脂としては、例えば、シリコーン樹脂、エポキシ樹脂、フッソ樹脂、シリコーン・エポキシのハイブリッド樹脂、ユリア樹脂等を用いることができる。蛍光体としては、例えば、緑色蛍光体と赤色蛍光体との組み合わせ、黄色蛍光体等を用いることができる。
【００２１】
配線パターン１３は、配線部材７０から供給される電力を発光部１２に給電するためのものである。配線パターン１３は、例えば、銅箔等の金属箔で構成されている。
導電ランド１４は、基板１１上における外周部に配設されており、発光部１２を構成する各発光素子１２ａと電気接続されている。導電ランド１４は、配線パターン１３と配線部材７０とを接続するためのものであり、配線パターン１３と同様に、銅箔等の金属箔で構成されている。導電ランド１４の上面には、配線部材７０の速結端子７３が半田付けされている。速結端子７３は、一対のリード線７１と導電ランド１４とを電気接続するためのものである。速結端子７３の差込口７３ａにリード線７１が差し込まれることで、リード線７１と導電ランド１４とが電気接続される。この接続の詳細については配線部材７０の説明の際に併せて説明する。なお、導電ランド１４は速結端子７３の平面視形状と対応した形状をしており、また導電ランド１４上には速結端子７３が存在するため、導電ランド１４は図３には現れていない。
【００２２】
平面視において、速結端子７３は、その差込口７３ａにリード線７１が差し込まれる際の差込方向に延伸する仮想線同士が交差するように、かつ、当該仮想線が発光部１２の輪郭に沿うように配置されている。ここで、上述したように、導電ランド１４は速結端子７３の平面視形状と対応した形状および配置をしている。そのため、導電ランド１４は、その長手方向に延伸する仮想線同士が交差するように、かつ、仮想線が発光部１２の輪郭に沿うように配置されている。これにより、リード線７１にさほどストレスを加えることなくリード線７１を束ね、発光ユニット６の外部に導出することが可能である。
【００２３】
（金属基台２０）
金属基台２０は、アルミニウム等の熱伝導に優れた金属材料で構成された板状部材である。金属基台２０は、発光モジュール１０の基板１１を載置するための載置台としての機能と、発光モジュール１０で発生した熱を発光ユニット６の外部へ放熱させる放熱部材としての機能も併せ持つ。この機能を十分に発揮させるため、金属基台２０は、発光素子１２ａが形成されている領域である発光部１２よりも大きくしている。
【００２４】
金属基台２０の外周部には、ねじ孔２１が３箇所形成されている。ねじ孔２１は、金属基台２０とカバー３０との接合用の組立ねじ３３を螺合するためのものである。
また、金属基台２０の上面には、他の領域よりも厚みが薄い載置部２２が形成されている。載置部２２は、金属基台２０と導電ランド１４とを基板１１に沿った最短沿面距離で結ぶ経路と交わる部分に設けられている。載置部２２は、金属基台２０と基板１１との界面に電気絶縁部材４０を介挿するための間隙として形成されているものであり、電気絶縁部材４０の形状に合わせて形成されている。
【００２５】
金属基台２０の外周部には、さらに切欠部２３が形成されている。切欠部２３は、導電ランド１４と金属基台２０との間の絶縁性を向上させるために形成されているものである。
（カバー３０）
カバー３０は、例えば、白色不透明の樹脂等の非透光性材料で構成され、扁平箱型状をしている。カバー３０は、発光モジュール１０および速結端子７３を覆うものである。カバー３０には、発光モジュール１０の発光部１２からの出射光を出射させるための光出射窓３１が設けられている。光出射窓３１の内周面３１ａは、発光部１２の主出射方向に向かって拡径するテーパー状となっている。内周面３１ａには、発光部１２からの出射光を拡散させる拡散処理、例えば、フロスト処理やブラスト処理、又は、微粒子の吹き付けや塗布処理が施されている。
【００２６】
カバー３０には切欠部３２が形成されており、この切欠部３２には組立ねじ３３を挿通させるための挿通孔３２ａが形成されている。金属基台２０にカバー３０を接合する際、まず、カバー３０の外縁部に形成されたツメ部３４を金属基台２０の外縁部に係合させる。そして、この状態でカバー３０の上方から挿通孔３２ａに組立ねじ３３を挿通し、組立ねじ３３をねじ孔２１に螺合させることによって、カバー３０を金属基台２０に取り付ける。
【００２７】
カバー３０の光出射窓３１からの外周の領域は、内部が中空になっている。そのため、金属基台２０とカバー３０とが接合された状態において、速結端子７３はこの内部空間に収容される。
また、カバー３０には、ノッチ部３５が形成されている。このノッチ部３５は、リード線７１を速結端子７３の差込口７３ａに差し込む際に用いられるものであり、リード線７１を挟持した指を案内することで差込作業の際の作業性を向上させる目的で形成されているものである。ノッチ部３５は、カバー３０の側壁３０ａの一部がリード線７１の差込方向に凹入してなる。ノッチ部３５の内側面における差込口７３ａに対向する面３５ｂには、開口部３５ａが形成されている。開口部３５ａは、リード線７１を挿通させるためのものであり、開口部３５ａに挿通されたリード線７１は、速結端子７３の差込口７３ａに差し込まれる。
【００２８】
カバー３０の上面には、カバー３０の内部空間と連通する貫通孔３６が形成されている。貫通孔３６は、速結端子７３からリード線７１を外す冶具を挿入するためのものである。また、切欠部３７は、発光ユニット６の器具３への取付時において、２本のリード線７１を金属基台２０の裏側へ案内するためのものである。
（電気絶縁部材４０）
電気絶縁部材４０は、金属基台２０に形成された載置部２２と基板１１との間隙に介挿されている。すなわち、金属基台２０と導電ランド１４とを基板１１に沿った最短沿面距離で結ぶ経路と交わる部分に、電気絶縁部材４０が設けられている。このような構成により、金属基台２０と導電ランド１４との沿面距離を長くすることができるので、基板１１を大型化することなく、金属基台２０と導電ランド１４との間の絶縁性を向上させることが可能である。
【００２９】
さらに、切欠部２３が形成されていることにより、金属基台２０における上記最短沿面距離で結ぶ経路と交わる部分が電気絶縁部材４０の外縁より内方に存在することになる。これにより、金属基台２０と導電ランド１４との沿面距離をさらに長くすることができ、金属基台２０と導電ランド１４との間の絶縁性がより向上する。
電気絶縁部材４０を構成する材料としては、例えば、ポリカーボネート、プロピレンカーボネート、ポリイミド、エポキシ、シリコーン等の樹脂やマイカ、エナメル、ガラス等の無機材料等が挙げられる。また、電気絶縁部材４０は、熱伝導性を有する材料で構成されていれば、より望ましい。熱伝導性を有していることにより、点灯中に発光モジュール１０で発生した熱を、電気絶縁部材４０に蓄熱することなく金属基台２０に伝熱させることができるので、放熱性の観点で望ましい。
【００３０】
また、上述したように、金属基台２０は、発光モジュール１０で発生した熱を発光ユニット６の外部へ放熱させる機能を有する。この機能をより効果的に発揮させるために、本実施形態においては、図３に示すように、発光素子１２ａを含んでなる発光部１２が存在する領域に対応する金属基台２０と基板１１との界面には、電気絶縁部材４０が介挿されていない。
【００３１】
（配線部材７０）
配線部材７０は、回路ユニット４と発光ユニット６とを電気接続するものであり、２本のリード線７１、コネクタ７２、発光モジュール１０と電気接続され、リード線７１が差込口７３ａに差し込まれる速結端子７３を含む。リード線７１の一端は速結端子７３を介して導電ランド１４に電気接続される。リード線７１の他端は、コネクタ７２が回路ユニット４のコネクタ４ｂに接続されることで、回路ユニット４に電気接続される。
【００３２】
図４は、リード線７１の導電ランド１４への電気的接続方法について説明するための側面図である。まず、図４（ａ）に示すように、速結端子７３は２枚の板金７３ｂを備えている。半田付けにより速結端子７３を導電ランド１４に取着することにより、図４（ｂ）に示すように、下方側の板金７３ｂと導電ランド１４とが電気接続されるとともに、２本の板金７３ｂが対向する。そして、上述した方法により、金属基台２０とカバー３０とを接合する。図３に示すように、ノッチ部３５には開口部３５ａが形成されており、金属基台２０とカバー３０とが接合された状態において、開口部３５ａは速結端子７３の差込口７３ａと連通している。
【００３３】
次に、図４（ｃ）に示すように、カバー３０の開口部３５ａ（図３）を介して、リード線７１の差込方向に向けて開口された差込口７３ａに、リード線７１を差し込む。ここで、板金７３ｂは、先端部７３ｂ間の距離Ｓ１がリード線７１における金属線７１ａの直径Ｓ２よりも小さくなるように形成されている。これにより、図４（ｄ）に示すように、リード線７１が板金７３ｂと電気接続される。板金７３ｂと導電ランド１４とが電気接続されている結果、リード線７１が導電ランド１４に電気接続される。
【００３４】
［ノッチ部３５の機能の詳細と寸法］
＜ノッチ部３５の機能＞
図５（ａ）は、ノッチ部３５の構成を説明するための平面図であり、カバー３０の平面図に相当する。図５（ｂ）は、ノッチ部３５の機能の詳細を説明するための平面図であり、図５（ａ）における一点鎖線で示す領域を拡大して示している。
【００３５】
ノッチ部３５は、大まかには、発光ユニット６の組立時において、カバー３０の開口部３５ａを介してリード線７１を差込口７３ａに差し込む際に、リード線７１を挟持した第１の指Ｆ１，第２の指Ｆ２を案内するためのものである。
図５（ａ）に示すように、ノッチ部３５は、側壁３０ａの一部がリード線の差込方向Ｄ１，Ｄ２に凹入してなる。側壁３０ａの一部が凹入することにより、側壁３０ａの一部がノッチ部３５の内側面を構成している。ノッチ部３５の内側面は、対向面３５ｂ、第１当接面３５ｃ、および第２当接面３５ｄを有する。対向面３５ｂは、側壁３０ａの一部をなしているとともに、速結端子７３の差込口７３ａと対向するように形成された面である。また、図５（ｂ）に示すように、第１当接面３５ｃは、リード線７１を挟持した第１の指Ｆ１および第２の指Ｆ２を案内した状態において第１の指Ｆ１と当接する形状に形成された面である。また、第２当接面３５ｄは、当該状態において第２の指Ｆ２と当接する形状に形成された面である。このように、カバー３０を平面視した場合に、ノッチ部３５は、第１当接面３５ｃ、第２当接面３５ｄ、ノッチ部３５の開口面３５ｅ、対向面３５ｂを四辺とする四角形状である。
【００３６】
ここで、作業員が手作業で発光ユニット６を組み立てる場合、通常、リード線７１は作業員の親指と人差し指で挟持される。そのため、図５（ｂ）においては、親指を第１の指Ｆ１として、人差し指を第２の指Ｆ２として図示している。より具体的には、リード線７１は、開口部３５ａに挿通される際に、第１の指の腹Ｆ１ａと第２の指の腹Ｆ２ａとで挟持される。リード線７１が第１の指の腹Ｆ１ａと第２の指の腹Ｆ２ａとで挟持されるため、第１当接面３５ｃは第１の指の背Ｆ１ｂと当接するように形成されており、第２当接面３５ｄは第２の指の背Ｆ２ｂと当接するように形成されている。なお、「指の背」には、指の爪が含まれる。
【００３７】
ノッチ部３５においては、第１当接面３５ｃおよび第１当接面３５ｄが、それぞれ第１および第２の背Ｆ１ｂ，Ｆ２ｂと当接するように形成されている。すなわち、ノッチ部３５は、リード線７１を挟持した第１および第２の指Ｆ１，Ｆ２を容易に案内可能な構造となっている。また、ノッチ部３５は、カバー３０の側壁３０ａがリード線７１の差込方向Ｄ１，Ｄ２に凹入してなる構造であるため、リード線７１を挟持した第１および第２の指Ｆ１，Ｆ２がノッチ部３５に案内されると、リード線７１先端の金属線７１ａが差込方向Ｄ１，Ｄ２を向くことになる。ここで、差込口７３ａに対向する対向面３５ｂに開口部３５ａが形成されていることで、開口部３５ａは差込方向Ｄ１，Ｄ２に向けて開口していることになる。
【００３８】
このような構成により、リード線７１を挟持した第１および第２の指Ｆ１，Ｆ２がノッチ部３５に案内されると同時に、リード線７１先端の金属線７１ａも開口部３５ａを介して差込口７３ａに案内されることになる。したがって、リード線７１を挿通させる開口部３５ａの位置を目視せずとも、リード線７１を挟持した第１および第２の指Ｆ１，Ｆ２をノッチ部３５に差し入れるだけで、簡単にリード線７１を差込口７３ａに差し込むことができる。そのため、速結端子７３の差込口７３ａへのリード線７１の挿通を何度も試みる必要がなく、発光ユニット６組立時の作業性を向上させることが可能である。
【００３９】
ノッチ部３５は、カバー３０の側壁３０ａがリード線７１の差込方向Ｄ１，Ｄ２に凹入してなる構造である。そのため、カバー３０の外縁付近に速結端子７３の差込口７３ａが配置されていない場合であっても、リード線７１を挟持した第１および第２の指Ｆ１，Ｆ２を差込口７３ａに対してより近接させることができる。
ここで、カバー３０の外縁付近に速結端子７３の差込口７３ａが配置されていない場合、リード線７１を開口部３５ａに挿通させる際にリード線７１の先端から離れた位置でリード線７１を挟持する必要がある。この場合、リード線７１における挟持された部分から先が腰折れしてしまうおそれがあり、そうするとリード線７１を開口部３５ａに挿通させにくくなる結果、発光ユニット６組立時の作業性が低くなる可能性がある。しかしながら、第１および第２の指Ｆ１，Ｆ２を差込口７３ａにより近接させることができるため、リード線７１の先端から近接した位置でリード線７１を挟持することができる。この結果、リード線７１をより開口部３５ａに差し込み易い構成となっており、発光ユニット６組立時の作業性がさらに向上する。
【００４０】
さらに、差込口７３ａと開口部３５ａとの距離がより近接していれば、リード線７１をより差込口７３ａに差し込み易くなり、発光ユニット６組立時の作業性が向上する。逆に、差込口７３ａと開口部３５ａとの距離が遠隔していると、上述したリード線７１の腰折れの問題が生じるため、差込口７３ａと開口部３５ａとの距離は、３［ｍｍ］以下とすることが望ましい。本実施形態によれば、側壁３０ａの一部が差込方向Ｄ１，Ｄ２へ凹入することにより形成された対向面３５ｂに開口部３５ａが形成されているため、差込口７３ａと開口部３５ａとの距離をより近接させることが可能である。
【００４１】
また、本実施形態に係るノッチ部３５は、図３に示すように、カバー３０の上端辺３０ｂを含む側壁３０ａの一部が差込方向に凹入してなる。これにより、カバー３０を上方から見た場合に、ノッチ部３５の位置を視認し易くすることができる。さらに、本実施形態に係る開口部３５ａは、対向面３５ｂからノッチ部３５における第１当接面３５ｃと第２当接面３５ｄに挟まれた内底面３５ｆにも延在している。このようにすることで、開口部３５ａの位置を上方から視認することができるので、リード線７１を速結端子７３に差し込む際の作業性をより向上させることが可能である。開口部３５ａを内底面３５ｆにも延在させることで、開口部３５ａの開口面積を大きくすることもできるので、リード線７１の径が大きい場合に有効である。加えて、この構成によれば、第１および第２の指Ｆ１，Ｆ２を覆う天井面を有するノッチ部とする必要がない。したがって、Ｚ軸方向の厚みが薄いカバーに対しても、ノッチ部を形成することが可能である。
【００４２】
＜ノッチ部３５の寸法＞
図６は、ノッチ部３５の各部の寸法関係を説明するための平面図である。図６を参照しながら、ノッチ部３５の望ましい寸法について述べる。
カバー３０を平面視した場合に、第１当接面３５ｃにおける第１の指の背Ｆ１ｂが当接する点に沿った第１接線ＴＬ１と、第２当接面３５ｄにおける第２の指の背Ｆ２ｂが当接する点に沿った第２接線ＴＬ２とのなす角は６０〜１２０［°］であることが望ましい。本実施形態では、カバー３０を平面視した場合にノッチ部３５が四角形状をしているので、第１接線ＴＬ１は第１当接面３５ｃと一致し、第２接線ＴＬ２は第２当接面３５ｄと一致する。すなわち、換言すると、第１当接面３５ｃと第２当接面３５ｄとのなす角θは、６０〜１２０［°］であることが望ましい。このようにすることで、リード線７１を挟持した第１および第２の指Ｆ１，Ｆ２をそれぞれ、第１当接面３５ｃおよび第２当接面３５ｄに当接させるようにすることができる。
【００４３】
続いて、ノッチ部３５の開口面３５ｅの幅であるノッチ部３５の開口幅Ｌ１は、１０〜３０［ｍｍ］であることが望ましい。これによりリード線７１を挟持した第１および第２の指Ｆ１，Ｆ２の先を、ノッチ部３５に差し込むことができる。
ただし、第１および第２の指Ｆ１，Ｆ２の先がノッチ部３５に差込可能であったとしても、第１および第２の指Ｆ１，Ｆ２の先が僅かしかノッチ部３５に差し込まれないのであれば、ノッチ部３５が第１および第２の指Ｆ１，Ｆ２を案内する機能を発揮できないおそれがある。すなわち、ノッチ部３５の最大奥行きＬ２は、第１および第２の指Ｆ１，Ｆ２の先をノッチ部にある程度の長さ以上収容することができるような長さとする必要がある。ここで、ノッチ部３５の最大奥行きＬ２とは、ノッチ部３５における開口面３５ｅと、カバー３０の側壁３０ａから最もリード線７１の差込方向側に凹入した部分との距離をいう。このことについて、図７を用いて説明する。
【００４４】
図７は、最大奥行きＬ２を縮小したノッチ部を示す平面図である。図７（ａ１）に示すノッチ部３８は、ノッチ部３５と同様に、平面視した場合において対向面３８ｂ、第１当接面３８ｃ、第２当接面３８ｄおよび開口面３８ｅとで四角形状をしている。ノッチ部３５は、リード線７１を挟持した第２の指の背Ｆ２ｂにおける爪全体が収容される程度の最大奥行きＬ２を有していたのに対し、図７（ａ２）に示すように、ノッチ部３８の最大奥行きＬ２は、爪の頂部付近までがノッチ部３８に納まる程度の大きさである。
【００４５】
このような構成であっても、リード線７１を挟持した第１および第２の指Ｆ１，Ｆ２をノッチ部に案内するという機能を果たすことが可能である。リード線７１を挟持した第２の指の背Ｆ２ｂにおける少なくとも爪の頂部付近までをノッチ部に収容できるようにする場合の最大奥行きＬ２は、具体的には、例えば１０［ｍｍ］以上とすることが望ましい。ノッチ部としての機能を失わない範囲で最大奥行きＬ２を小さくすることは、ノッチ部のスペースをあまり確保できない場合に有効である。
【００４６】
一方で、ノッチ部３５の最大奥行きＬ２は、光出射窓３１の最大開口幅Ｌ３の５０［％］以下とすることが望ましい。ここで、光出射窓３１の内周面３１ａは、発光部１２の主出射方向に向かって拡径しているが、光出射窓３１の最大開口幅Ｌ３とは、この拡径により最も径が大きくなっている部分の開口幅をいう。カバー３０や光出射窓３１の大きさによっては、ノッチ部３５を設けることに伴って光出射窓３１の大きさが縮小され、発光ユニット６から出射される光量が減少するおそれがある。しかしながら、このような寸法関係とすることで、光出射窓３１の大きさを一定以上に維持しつつ、ノッチ部３５を設けることができる。すなわち、ノッチ部３５を設けることによる発光ユニット６としての光量への影響を小さくすることができる。
【００４７】
ノッチ部３５配設に伴う光量減少防止の観点では、さらに、ノッチ部３５の最大奥行きＬ２をカバー３０の全長Ｌ４の１０［％］以下とすることとしてもよい。このようにすることで、カバー３０のうち、光出射窓３１として用いることが可能な面積を一定以上に維持することができ、光量減少を抑制することができる。
≪ノッチ部の形状に係る変形例≫
［内側面の形状に係る変形例］
上述したように、ノッチ部は、カバーの側壁の一部がリード線の差込方向に凹入することで形成された内側面を有する。カバーを上面視した場合において、上記の実施形態で説明したノッチ部３５の内側面（対向面３５ｂ、第１当接面３５ｃおよび第２当接面３５ｄを含む）と開口面３５ｅとで四角形状をなしていたが、これに限定されない。図８は、ノッチ部における内側面形状に係る変形例を示す平面図である。
【００４８】
図８（ａ１），（ａ２）は第１の変形例を示している。図８（ａ１），（ａ２）に示すノッチ部３９は、平面視した場合において、第１当接面３９ｃ、第２当接面３９ｄおよび開口面３９ｅとで三角形状をなしている。このような形状であっても、図８（ａ２）に示すように、ノッチ部３９にリード線７１を挟持した第１の指Ｆ１および第２の指Ｆ２を案内した状態において、第１および第２の指Ｆ１，Ｆ２がそれぞれ第１当接面３９ｃおよび第２当接面３９ｄに当接する。そのため、ノッチ部３９のような形状であっても、実施形態におけるノッチ部３５と同様の機能を果たすことができる。
【００４９】
また、リード線７１を挿通させる開口部３９ａは、速結端子７３の差込口７３ａに対向する対向面３９ｂに形成される。本変形例では、ノッチ部３９が平面視において三角形状をしているため、開口部３９ａは第１当接面３９ｃと第２当接面３９ｄとで形成される角部に形成されている。このように、ノッチ部３９が三角形状であるため、対向面３９ｂは第１当接面３９ｃおよび第２当接面３９ｄの一部となっている。
【００５０】
図８（ｂ１），（ｂ２）は第２の変形例を示している。図８（ｂ１），（ｂ２）に示すノッチ部３０１は、平面視した場合において、対向面３０１ｂ、第１当接面３０１ｃ、第２当接面３０１ｄおよび開口面３０１ｅとで、対称軸を持たない椀形状をなしている。本変形例では、対向面３０１ｂ、第１当接面３０１ｃおよび第２当接面３０１ｄとで連続的な曲線を構成している。開口部３０１ａは、椀形状における底部に対応する領域に形成されている。
【００５１】
本変形例のノッチ部３０１は、第１当接面３０１ｃにおける第１の指の背Ｆ１ｂが当接する点に沿った第１接線と、第２当接面３０１ｄにおける第２の指の背Ｆ２ｂが当接する点に沿った第２接線とのなす角が、上述した範囲に含まれるように形成されている。なお、図８（ｂ２）では、第２の指の背Ｆ２ｂとして第２の指の背の頂部付近を指しているが、第２の指の爪であってもよい。このような構成であっても、実施形態におけるノッチ部３５と同様の機能を果たすことができる。
【００５２】
さらに、上記の実施形態、第１および第２の変形例では、１つの速結端子の差込口に対し１つのノッチ部を設けることとしていたが、これに限定されない。図９は、ノッチ部における内側面形状に係る変形例を示す図である。図９（ａ）は、変形例に係るノッチ部３０２が形成されたカバー全体を示す斜視図であり、図９（ｂ）は、ノッチ部３０２にリード線７１を挟持した第１および第２の指Ｆ１，Ｆ２を案内する様子を示す平面図である。
【００５３】
本変形例では、図９（ａ）に示すように、２つの速結端子の差込口に対して１つのノッチ部３０２が設けられている。すなわち、ノッチ部３０２には、速結端子の差込口と連通する開口部３０２ａが２箇所形成されている。また、ノッチ部３０２は、リード線７１を挟持した第１および第２の指Ｆ１，Ｆ２を案内した状態において、第１の指Ｆ１が当接する第１当接面３０２ｃと、第２の指Ｆ２が当接する第２当接面３０２ｄとを有する。
【００５４】
図９（ｂ）は、向かって左側の開口部３０２ａにリード線７１を挿通させる際の様子を示している。開口部３０２ａにリード線７１を挿通させる際、第１の指Ｆ１を第１当接面３０２ｃに当接させながらリード線７１を挟持した第１および第２の指Ｆ１，Ｆ２を差込方向に摺動させることで、容易に開口部３０２ａにリード線７１を挿通させることができる。また、特に図示していないが、向かって右側の開口部３０２ａにリード線７１を挿通させる際は、第２の指Ｆ２を第２当接面３０２ｄと当接させながら第１および第２の指Ｆ１，Ｆ２を差込方向に摺動させることになる。
【００５５】
このように、ノッチ部３０２の内側面に当接させるのが第１および第２の指Ｆ１，Ｆ２のいずれか一方のみの場合であっても、リード線７１を挟持した第１および第２の指Ｆ１，Ｆ２を案内するという機能を果たすことができる。
［開口面の位置に係る変形例］
図５に示すように、実施形態に係るノッチ部３５の開口面３５ｅは、カバー３０の外縁３０ｃから差込方向Ｄ１，Ｄ２に後退していることとしたが、これに限定されるものではない。図１０は、ノッチ部における開口面の位置に係る変形例を示す図である。
【００５６】
図１０（ａ）は、変形例に係るノッチ部３０４を含むカバー３０３を示す斜視図であり、図１０（ｂ）は、カバー３０３を平面視した場合のノッチ部３０４付近の部分拡大図である。図１０（ａ），（ｂ）に示すように、本変形例に係るノッチ部３０４の開口面３０４ｅは、カバー３０３の外縁３０３ｃから差込方向Ｄ１に後退していない。すなわち、上面視において、ノッチ部３０４の開口面３０４ｅは、カバー３０３の外縁３０３ｃと重なる。さらに換言すると、カバー３０３の側壁３０３ａは、カバー３０３の外縁３０３ｃに沿って形成されている。
【００５７】
最大奥行きＬ２（図６参照）が実施形態に係るノッチ部３５と本変形例に係るノッチ部３０４とで同じとした場合、ノッチ部３５の方がノッチ部３０４と比較して、速結端子の差込口とカバーの開口部との距離をより近接させることができる。これにより、リード線を挟持した第１および第２の指を差込口により近接させることができる。この結果、リード線の腰折れを防止することができ、発光ユニット組立時の作業性をさらに向上させることができる。しかし、実施形態に係るノッチ部３５と比較して、速結端子の差込口とカバーの開口部３０４ａとの距離が遠くなるものの、本変形例に係るノッチ部３０４の構成によっても、リード線を挟持した指を案内するという機能を発揮することは可能である。本変形例は、カバーのレイアウトの関係上、光出射窓とカバーの外縁との距離が短くなってしまう場合に有効な例である。
【００５８】
また、図１０（ｃ）は、ノッチ部３０４における最大奥行きＬ２を大きくしたノッチ部３０４Ａを示す図である。開口面３０４ｅがカバーの外縁から差込方向Ｄ１に後退していない場合であっても、最大奥行きＬ２を大きくすることで、開口部３０４Ａａと速結端子の差込口との近接性を失わないようにすることができる。
［開口部に係る変形例］
図１１は、ノッチ部における開口部に係る変形例を示す斜視図である。本変形例に係るノッチ部３０５の開口部３０５ａは、速結端子の差込口に対向する対向面３０５ｂのみに形成されており、内底面３０５ｆに延在していない構成である。このような構成であっても、リード線７１を挟持した指を内底面３０５ｆに沿って摺動させることで、開口部３０５ａに容易にリード線を挿通させることが可能である。
【００５９】
また、リード線７１が腰折れしやすい部材で構成されていると、実施形態に係るノッチ部３５のように開口部３５ａを内底面３５ｆまで延在させた場合、開口部３５ａに挿通したリード線７１の先端が、速結端子７３の差込口７３ａに至る前に腰折れするおそれがある。そうすると、開口部３５ａを通過したリード線７１の先端が、差込口７３ａに差し込まれないおそれが生じる。しかしながら、本変形例によれば、開口部３０５ａが内底面３０５ｆに延在していないため、開口部３０５ａに挿通したリード線７１が、内底面３０５ｆよりも下方に垂下しにくくなっている。したがって、本変形例は、腰折れしやすいリード線を用いる場合に有効な構成である。
【００６０】
≪その他の変形例≫
以上、本発明の構成を説明したが、本発明は上記の実施形態に限られない。例えば、以下のような変形例等を挙げることができる。
（１）上記実施形態および変形例では、ノッチ部の第１および第２当接面がＺ軸方向に切り立っている形状であることとしたが、本発明はこれに限定されない。第１および第２当接面のＺＸ断面における形状が、例えば、リード線を挟持した指の背のカーブに沿うような形状であってもよい。
【００６１】
（２）上記実施形態および変形例では、角のとれた矩形状をしたカバーにおける一辺に開口面を有するノッチ部が設けられていることとしたが、ノッチ部が設けられている位置はこれに限定されない。ノッチ部の位置は速結端子の差込口の位置によって自由に変更することが可能であり、例えば、角のとれた矩形状カバーの角部に相当する側壁にノッチ部が設けられていることとしてもよい。
【００６２】
（３）ノッチ部の平面視形状について、上記実施形態および変形例で説明したものは単なる一例であり、他の形状とすることも可能である。他の形状としては、例えば、半円状（半真円状、半楕円状を含む。）、長方形、正方形、多角形状等が挙げられる。
（４）上記実施形態および変形例では、カバーがＸ軸方向およびＹ軸方向に扁平な箱型状であるため、Ｘ軸方向またはＹ軸方向に並列させた指でリード線を挟持する場合のノッチ部の形状について説明したが、本発明はこれに限定されない。Ｚ軸方向にある程度厚みのあるカバーである場合、Ｚ軸方向に並列させた指でリード線を挟持し、カバーの開口部にリード線を挿通させることとしてもよい。この場合のノッチ部の構成は、リード線を挟持した指と当接する当接面が、ＸＹ平面に沿って形成されることになる。
【００６３】
（５）上記実施形態および変形例では、ノッチ部における対向面がＺ軸方向に切り立っている形状であることとしたが、本発明はこれに限定されない。
図３および図４に示すように、上記実施形態等における速結端子７３の差込口７３ａは斜め上方に向けて開口しているが、例えば、ノッチ部の対向面を差込口７３ａの開口面と平行な平面とすることとしてもよい。このようにすることで、カバーを上方から見た場合に、ノッチ部の対向面を目視することができるため、開口部の位置も視認することが可能である。この結果、よりノッチ部の開口部にリード線を挿通させやすくなり、発光ユニットの組立時の作業性をさらに向上させることができる。
【００６４】
（６）上記実施形態および変形例のうち、ノッチ部の平面視形状が四角形状である例においては、対向面のみにリード線を挿通させる開口部が設けられていることとしたが、本発明はこれに限定されない。例えば、第１当接面または第２当接面に延在させることとしてもよい。
（７）上記実施形態および変形例では、速結端子へのリード線差込作業は人間である作業員により行われる場合を例に挙げて説明した。すなわち、「リード線を挟持した指」が人間の指である場合を例に挙げて説明したが、本発明はこれに限定されない。速結端子へのリード線差込作業を行うのは、発光ユニット組立用のロボットや人間以外の動物等であってもよい。換言すると、「リード線を挟持した指」には、ロボットアームや人間以外の動物の手の指が含まれる。
【００６５】
（８）上記実施形態および変形例では、カバーおよび金属基台の平面視形状が、角のとれた矩形状であったが、本発明はこれに限定されない。以下、カバーおよび金属基台の平面視形状が、略円形である例について説明する。
図１２（ａ）は、変形例に係る発光ユニットを示す斜視図であり、図１２（ｂ）は、カバー３０６を取り除いた状態の発光ユニットの斜視図である。図１２では、実施形態におけるものと同様の構成、または同等の機能を有する構成には同符号を付している。
【００６６】
本変形例に係る発光ユニットは、発光モジュール１０、金属基台２４、カバー３０６、電気接縁部材４１、配線部材７０を備える。
図１２（ｂ）に示すように、金属基台２４には、組立ねじ３３を螺合するためのねじ孔２５が２箇所形成されている。また、金属基台２４には、発光ユニットの器具３への取付時において、リード線７１を金属基台２４の裏側へ案内する際に、リード線７１と金属基台２４の外縁とが干渉しないようにするための切欠部２６が形成されている。さらに、金属基台２４には、金属基台２４と基板１１との界面領域に電気絶縁部材４１を介挿するための載置部２７が形成されている。
【００６７】
カバー３０６には、切欠部３０７が２箇所形成されており、切欠部３０７には組立ねじ３３を挿通する挿通孔が形成されている。また、カバー３０６には、実施形態で説明したノッチ部と同等の機能を有するノッチ部３０８が形成されている。これにより、速結端子７３の差込口７３ａにリード線７１を差し込む際の作業性を向上させることが可能である。
【００６８】
（９）図１３は、変形例に係る金属基台を示す斜視図である。上記実施形態および変形例に係る発光ユニットは、金属基台と発光モジュールの基板との間に電気絶縁部材を介挿することとしたが、この電気絶縁部材は本発明に必須の構成要件ではない。そのため、図１３（ａ）に示す金属基台のように、電気絶縁部材を載置するための載置部を形成しないこととしてもよい。また、金属基台と発光モジュールの基板と間の絶縁性を向上させるための切欠部も本発明に必須ではない。したがって、図１３（ｂ）に示す金属基台のように、金属基台に切欠部を設けないこととしてもよい。続いて、図１３（ｃ）に示す金属基台のように、２本のリード線を金属基台の裏側へ案内するための切欠部２８をさらに形成することとしてもよい。切欠部２８が形成されていることにより、リード線を金属基台の裏側へ案内する際に、リード線が金属基台の外縁と干渉することを防止できる。
【００６９】
（１０）上記実施形態および変形例では、発光素子としてＬＥＤを例示したが、本発明はこれに限定されない。ＬＥＤの他には、例えば、ＬＤ（レーザダイオード）や、ＥＬ素子（エレクトリックルミネッセンス素子）等を用いることとしてもよい。また、これらの光源を組み合わせて使用することとしてもよい。
（１１）上記実施形態および変形例では、行列状に配列された複数の発光素子のうちの一行全ての発光素子を１つの波長変換部材で覆う例について説明したが、本発明はこれに限定されない。例えば、１つの発光素子を１つの波長変換部材で被覆してもよいし、行列状に配列された複数の発光素子全体を１つの波長変換部材で被覆してもよいし、上記複数の発光素子のうちの一列全ての発光素子を１つの波長変換部材で被覆することとしてもよい。
【００７０】
（１２）上記実施形態および変形例では、発光素子として青色ＬＥＤを用い、蛍光体としては緑色蛍光体と赤色蛍光体との組み合わせ、黄色蛍光体を用いる例を示したが、これに限定されない。他の例としては、例えば、白色を発光させる場合、ＬＥＤの発光色を紫外線光とし、蛍光体として、赤色蛍光体、緑色蛍光体および青色蛍光体の３種類を用いるものがある。
【００７１】
また、赤色発光、緑色発光、青色発光の３種類のＬＥＤ素子を用いて、混色させて白色光としてもよい。さらに、発光部から発せられる光色は白色に限定されるものでなく、その他の光色であってもよい。
（１３）上記実施形態および変形例では、発光部の形状を円形であることとしたが、これに限定されない。円形以外の形状としては、例えば、円環状、正方形、長方形、三角形、五角形以上の多角形等がある。
【００７２】
（１４）上記実施形態および変形例では、配線部材の速結端子が導電ランドに取着される例を示したが、カバーに取着されることとしてもよい。
（１５）上記実施形態および変形例では、基板の形状を長方形とする例について説明したが、本発明はこれに限定されない。例えば、正方形、円形、ブロック状等であってもよい。
【００７３】
（１６）上記の実施形態では、発光ユニットの使用態様として、ダウンライトに使用する例を示したが、本発明はこれに限定されるものではない。例えば、天井や壁面に取り付けられるスポットライトや、天井面に取り付けられるシーリングライト、天井面から吊り下げるペンダントライト等の光源として用いることも可能である。
（１７）上記実施形態および変形例で使用している、材料、数値等は好ましい例を例示しているだけであり、この形態に限定されることはない。また、本発明の技術的思想の範囲を逸脱しない範囲で、適宜変更は可能である。また、他の実施形態との組み合わせは、矛盾が生じない範囲で可能である。さらに、各図面における部材の縮尺は実際のものとは異なる。なお、数値範囲を示す際に用いる符号「〜」は、その両端の数値を含む。
【符号の説明】
【００７４】
１  照明器具
２  天井
２ａ  埋込穴
２ｂ  下面
３  器具
３ａ  ランプ収容部
３ｂ  回路収容部
３ｃ  外鍔部
４  回路ユニット
４ａ  電源線
４ｂ  コネクタ
６  発光ユニット
１０  発光モジュール
１１  基板
１２  発光部
１２ａ  発光素子
１２ｂ  波長変換部材
１３  配線パターン
１４  導電ランド
２０  金属基台
２１  ねじ孔
２２、２７  載置部
２３  切欠部
２４  金属基台
２５  ねじ孔
２６  切欠部
２８  切欠部
３０、３０３、３０６  カバー
３０ａ、３０３ａ  側壁
３０ｂ  上端辺
３０ｃ、３０３ｃ  外縁
３１  光出射窓
３１ａ  内周面
３２、  切欠部
３２ａ  挿通孔
３２ｂ  周壁
３３  組立ねじ
３４  ツメ部
３５、３８、３９、３０１、３０２、３０４、３０４Ａ、３０５、３０８  ノッチ部
３５ａ、３９ａ、３０１ａ、３０２ａ、３０４ａ、３０４Ａａ、３０５ａ  開口部
３５ｂ、３８ｂ、３９ｂ、３０１ｂ、３０５ｂ  対向面
３５ｃ、３８ｃ、３９ｃ、３０１ｃ、３０２ｃ  第１当接面
３５ｄ、３８ｄ、３９ｄ、３０１ｄ、３０２ｄ  第２当接面
３５ｅ、３８ｅ、３９ｅ、３０１ｅ、３０４ｅ  開口面
３５ｆ、３０５ｆ  内底面
３６  貫通孔
３７  切欠部
４０、４１  電気絶縁部材
７０  配線部材
７１  リード線
７１ａ  金属線
７２  コネクタ
７３  速結端子
７３ａ  差込口
７３ｂ  板金
７３ｃ  先端部
Ｆ１  第１の指
Ｆ１ａ  第１の指の腹
Ｆ１ｂ  第１の指の背
Ｆ２  第２の指
Ｆ２ａ  第２の指の腹
Ｆ２ｂ  第２の指の背
Ｄ１  差込方向
Ｄ２  差込方向
ＴＬ１  第１接線
ＴＬ２  第２接線
Ｌ１  ノッチ部の開口幅
Ｌ２  ノッチ部の最大奥行き
Ｌ３  光出射窓の最大開口幅
Ｌ４  カバーの全長
９０００  発光ユニット
９０１  基台
９０２  発光モジュール
９０３  基板
９０４  発光部
９０５  導電ランド
９０６  カバー
９０６ａ  貫通孔
９０６ｂ  開口部
９０６ｃ  ケース
９０７  速結端子
９０７ａ  差込口
【図１】
2014154467.tif 000003
【図２】
2014154467.tif 000004
【図３】
2014154467.tif 000005
【図４】
2014154467.tif 000006
【図５】
2014154467.tif 000007
【図６】
2014154467.tif 000008
【図７】
2014154467.tif 000009
【図８】
2014154467.tif 000010
【図９】
2014154467.tif 000011
【図１０】
2014154467.tif 000012
【図１１】
2014154467.tif 000013
【図１２】
2014154467.tif 000014
【図１３】
2014154467.tif 000015
【図１４】
2014154467.tif 000016